(57)【要約】【課題】従来の鳥の羽根や足様体の付いたエギは、誘魚効果が低く羽根や足様体は破損時やカラーローテーションを目的として簡単に交換できないという問題があった。【解決手段】  棒体の一端にフランジ部を設けフランジ部とエギ本体の接触面のフランジ部側かエギ本体側のいずれかに弾性体の収納溝を設けフランジ部に設けた開口部から弾性体を出すように設ける。これによって接着剤を使用せずに弾性体を保持することが可能になり。また簡単に取外し交換できる。エギのオモリ部に軸体を設け、その軸体に略放射状または略扇形状に広がるように弾性体を設ける。これにより水流が弱い時は弾性体が微震動し、強い水流を与えた時は弾性体が後方向に大きくなびき水流が止まると前方に大きくなびく。以上のように微振動と大きく自然なフレアの組み合わせによって自然界に存在する餌のように生物的な高い誘魚効果を発揮することが可能になる。【選択図】図１
2010178725.tif 000002
【特許請求の範囲】
【請求項１】
棒状体６と、
前記棒状体６の一方に設けたフランジ部８と、
前記フランジ部８の前記棒状体６側に設けた溝部９と、
前記フランジ部８の外周部に設けた少なくとも一つ以上の開口部７と、
からなる、弾性体保持具
【請求項２】
請求項１の弾性体保持具２を設けたエギ
【請求項３】
棒状体６と、
前記棒状体６の一方に設けたフランジ部８と、
前記フランジ部８の外周部に設けた少なくとも一つ以上の開口部７と、
からなる、弾性体保持具
【請求項４】
請求項３の弾性体保持具と
前記弾性体保持具を差し込むための穴の周囲に弾性体収納部を設けたエギ本体２６と弾性体１からなるエギ
【請求項５】
錘３と、
前記錘３に設けた軸体４と、
前記軸体４に設けた弾性体と、からなる、錘
【請求項６】
錘３と
前記錘３に設けた請求項１の弾性体保持具２と、
前記弾性体保持具２に保持された弾性体１と、からなる、錘
【請求項７】
錘３と
前記錘３に設けた弾性体嵌め込み部１８と
前記弾性体嵌め込み部１８に設けた弾性体１と、からなる、錘
【請求項８】
請求項５または、請求項６または、請求項７の錘を設けたエギ
【請求項９】
エギ本体２６と
前記エギ本体２６に設けた錘３と
前記エギ本体２６と前記錘３の間に設けた貫通孔と
前記貫通孔に設けた弾性体１と、からなる、エギ
【請求項１０】
長さを段階的に変化させた弾性体と
前記弾性体の一端を取り付けたエギ本体２６または錘３を具備し
前記弾性体が受ける水流の変化に応じて略放射状もしくは略扇形状またはＶ字形状に弾性体が開閉するエギ
【請求項１１】
略放射状もしくは略扇形状またはＶ字形状に開いた状態に形成した弾性体と前記弾性体を設けたエギ本体２６または錘３を具備し
前記弾性体が受ける水流の変化に応じて弾性体が閉じたり開いたりするエギ
【請求項１２】
段階的に長さを変化させた弾性体と
前記弾性体の中心部に取り付けたエギ本体２６または錘３を具備し
前記弾性体が水流の変化に応じて略放射状もしくは略扇形状またはＶ字形状に開閉するエギ
【請求項１３】
エギ本体２６と
前記エギ本体２６に設けた穴と
前記穴の周囲に設けた弾性体収納部と
前記弾性体収納部の外周に設けた弾性体突出口と
フランジ部を有するピンからなるエギ
【発明の詳細な説明】
【技術分野】
【０００１】  本発明は、おもにイカ釣り用のエギに関する。
【背景技術】
【０００２】  従来のエギには鳥の羽根などをエギ本体に取り付けたものがある。
【発明の表示】
【発明が解決しようとする課題】
【０００３】  従来エギに取り付けられている羽根等はエギ本体に着脱不能に固定されている。
そのため羽根部分が破損した場合に修理、交換できなかった。
【０００４】  また、エギと羽根等の色の組み合わせを釣り場で自由にローテーションすることもできなかった。
【０００５】  羽根や獣毛よりもしなやかで均一性が高くエギ本体とのカラーコーディネイトもしやすく誘魚効果の高いシリコーン等の弾性体を用いることができれば釣果は飛躍的に向上するがシリコーンは難接着性のため従来のエギのように空気抵抗の少ない取り付け角度でエギ本体に装着することができなかった。
【０００６】  上述の理由からシリコーン等の弾性体を接着剤などを使用せずに保持でき、なおかつ従来のエギ同様、空気抵抗の少ない取り付け角度でエギ本体に設けることができ、同時に工具等も必要とせずに簡単に弾性体を交換できる弾性体保持具および、エギを提供する。
【０００７】  また、従来のエギは潮流のないポイントで海底に静止させると、ヒレや脚に相当する部分の動きもすぐに無くなってイカが興味を失いエギから離れてしまうので釣ることができなかった。
【０００８】  潮流のあるポイントでエギの頭部側から水の流れを受けた場合は若干動くが
動きが単調で活き餌を擬態するには十分なものではなかった。
【０００９】  以上のような理由から、エギが海底で静止状態にあっても弾性体が長時間うごめいてイカを誘い
【００１０】  また、どの方向からの潮流に対しても弾性体が機敏に反応し、生きたエビの脚の動きを再現できるエギを提供する。
【課題を解決するための手段】
【００１１】  本発明は上記目的を達成するために
第一の課題解決手段は弾性体を接着剤等を使用せずに交換可能に保持できる保持具を用いることである。
【００１２】  棒状体の一方に設けたフランジ部のエギ本体側かエギ本体の表面に弾性体を収納するための弾性体収納部を設け、弾性体の折り返し部分は前記弾性体収納部に収納し棒状体を軸に折り返した弾性体をフランジ部もしくはエギ本体側に設けた開口部または弾性体突出口から出るように構成する。
【００１３】  上記構成により弾性体の復元力により棒体と溝部内壁から受ける弾性体の復元力の反作用としての圧着力および開口部から弾性体が受ける同様の押圧力により弾性体を保持する作用を得ることができる。
【００１４】  弾性体は一列に並べて整然と保持することが可能となり
規則的な美しい広がり方と弾性体の開閉アクションを得ることができる。
【００１５】  第二の課題解決手段は上記保持具を含む軸体を
錘またはエギ本体底面に設け左右対称または前記軸体による縦軸を中心に横方向に放射状に弾性体を保持するように構成する。
【００１６】  上記構成により前記保持具の作用と、それ以外に軸体の回転作用や軸体と穴径のあそびによるぐらつきを利用し、より複雑な弾性体のフレアアクションを得ることができる。
【００１７】  また、左右方向または放射状に横方向に広がる弾性体が連動するような開閉する独自のアクションをエギに与えることができる。
【発明の効果】
【００１８】  請求項１、請求項２、請求項３、請求項４にかかる発明においては
弾性体をカラーローテーションするために簡単に着脱、交換することができる。
また、弾性体を保持するためのパーツを最小限の大きさでコンパクトに抑えることができ弾性体を任意に整列させた状態で保持することができる。
【００１９】  交換に際して接着剤を必要としない。そのため難接着性のシリコーン素材の弾性体も装着することができる。
【００２０】  また弾性体がフグやカワハギやベラなどのイカの生息ポイントに多い歯の鋭い魚にかじられて欠損した場合も新しい弾性体と簡単に交換することができる。
【００２１】  また、弾性体は交換後も保持具により予め設定された方向に正確かつ簡単に固定される。弾性体の着脱、交換に関して工具等を一切必要としない。
【００２２】  弾性体の微振動はイカのエサであるカワハギやベラ、アジ等の胸鰭の動きに似せることが可能である。弾性体の大きなフレアアクションはエビの脚の動きを表現することができる。
【００２３】  所定の角度で開いた状態で設ければすべての振動体が効率よく水を十分に捕らえることが可能であり弾性体の動き始めが早くなる。
【００２４】  ロッド操作やリーリングでエギを引いたとき、また水中フォールでエギが沈んでいくとき、弾性体が水を捉えて略扇形状にゆっくり広がりエギを止めると短い弾性体のほうから順番にゆっくりもとの状態に戻る。この動きがエビの脚の動きに見え誘魚効果を発揮する。
【００２５】  本発明により弾性体を鰭条（鰭を支持するために、担鰭骨から鰭の外縁に放射状か略並行に走る細線状の構造物）とその動きに似せることが可能である。上述したように本発明のエギは弾性体の微振動およびフレアアクションにより自然な魚の鰭やエビの脚を演出することができ効果的にイカや魚を釣ることができる。
【００２６】  また、エギ本体を移動または動揺させることなく鰭や脚の動きだけでイカを誘うことができる。
【００２７】  海底にとどめておいてもわずかな潮流に反応して弾性体がフレアするのでイカを釣ることが可能である。
【００２８】  カワハギやベラなどのように尾鰭を動かさずに胸鰭の動きだけで推進するタイプの小魚を正確に擬態することができる。
【００２９】  略扇形状および略三角形状または略Ｖ字形状に所定の角度で弾性体を設けることですべての弾性体が効果的に水を捉えて振動し、一本一本の弾性体がそれぞれ独立した脚のごとくきれいになびくのである。
【００３０】  脚一本一本の動きに時差を設けることにより多足類特有の脚の動きに極似させる事ができエギに生命感を与えることができる。
【００３１】  弾性体を略扇形状および略三角形状または略Ｖ字形状に開閉することが可能になりより自然な誘魚効果で大きな釣果をあげることができる。
【００３２】  請求項５、請求項６、請求項７、請求項８に係る発明においてその効果を次に書くと
潮流や地形による海水の複雑な流れのなかでも弾性体の一本一本がすべて異なる角度で設けられているためすべてが微妙に違う動きをすることによって本物の活きたエビがそこにいるように見せることができる。
【００３３】  水底でエギの頭部や錘がひっかかり固定された状態でも弾性体が軸を中心に大きく揺れるためアピール効果が高い。
【００３４】  弾性体の一部が欠損しても自動的に補正され水の抗力の左右のバランスが崩れることがない。そのため交換や補修をすることなくそのまま使い続けることができる。
【００３５】  水底でステイさせるとき本体を支える脚の役目をする効果も得られるため水中安定性が高く安定した姿勢を保つことができる。
【００３６】  本体に弾性体を水平に設ける場合は大きな保持具が必要となり水抵抗および外観が損なわれるがこの発明ならば容易に水平に設けることができる。
【００３７】  エギ本体に穴を開ける必要がないので中空のボディーのエギにも簡単に装着することができる。
【００３８】  エギ本体に取付孔を設ける必要がないので布張りタイプのエギを含めどのようなエギにも使用することができる。
【００３９】  エギ本体両側に弾性体を設けたものよりもエギ本体底側の一点に設けることにより同じ長さの弾性体であってもより長く可動部分を持つことができ、なめらかで大きいアクションを得ることができる。
【００４０】  放射状に取り付けられた弾性体で錘部分を覆うため後方斜め上や横斜め上から見下ろすイカの視線から異物としてイカが嫌う金属の錘を隠す効果がありより自然な餌を表現できる。
【００４１】  本体に穴を開けずにオモリの交換だけで全てのエギに弾性体を装着することができる。
【００４２】  取り付け用の穴を設けた弾性体においては軸部を穴に挿入するだけでエギ本体から錘を取り外さずに弾性体を簡単に交換することができる。
【００４３】  海中に生息するエビは外敵が近づくと
二度三度とジャンプを繰り返し、敵から逃れようとする。
このときエビは体側に脚を沿わせて閉じた状態で瞬時に尾部方向に移動し
宙層で浮遊状態で止まった瞬間に脚を横方向の両側に広げバランスをとりながら沈降する。
この発明ではこのようなエビの動きを正確に模倣することができる。
【００４４】  弾性体をすべて同じ長さとした場合は瞬間的に閉じたり広げたりする動きを表現するのに適する。
【００４５】  弾性体を頭部側を短く尾部側を順次長くなるよう設定した場合は
尾部側から順番に閉じ、頭部側から順番に開くようになる。
【００４６】  横方向に放射状に広がった弾性体の脚により密生した海草や藻の上にのせて止めたままイカを誘うことができ藻の隙間に落ち込んでしまうことがない。
【００４７】  エギ本体の下側で弾性体が横方向に開閉動作をすることにより弾性体が見え隠れし明滅効果がえられる。
【００４８】  また、弾性体の可動域を最大限に長く取ることができる。
【００４９】  沈降時に弾性体が受ける水の抵抗により実際の比重よりもゆっくりと沈下させるためのパラシュート効果を得ることができる。
【００５０】  弾性体によりエギにとって不要な沈降時のエギ頭部の上下動を抑制することができる。
【００５１】  従来のダートアクションよりも短い移動距離でイカを誘うことが可能になる。
【００５２】  実際のエビの脚の状態にきわめて近い脚の形態を模倣することができる。
【００５３】  接着剤を必要とせずに着脱が容易にできる。
【００５４】  錘とエギ本体との間にできる隙間を調整することにより簡単に弾性体の開き方を任意に調整することができる。
【００５５】  請求項９にかかる発明における効果は次の通りである。
オモリと本体の間に挟むので、取り付け困難な平板形状の幅広の弾性体であっても簡単に取り付けることができる。
【００５６】  また着脱も接着剤が不要で用意に行える。
【００５７】  エギ本体の中心線部分で弾性体を押圧保持することにより
略扇形状に開いた状態を保って弾性体を保持することも可能である。
【００５８】  エギ本体の中心線部分で弾性体を押圧保持することにより
弾性体を可動部を最大限に長くとることができより自然な大きいアクションを得ることができる。
【００５９】  平板形状の弾性体を重ね合わせて取り付けることによりすべての弾性体が均一に効率よく水をとらえることが可能になる。
また、弾性体のねじれを防ぐ効果もある。
【００６０】  さらに、弾性体によりイカが違和感をもつ錘を隠す効果があり釣果をのばすことができる。
【００６１】  ボートエギングのように高速で沈下するエギが求められる状況においても平板形状の弾性体を保持可能なため強い水流にも弾性体が曲がりすぎずに微振動を得られる状態を保つことができる。
【００６２】  振動体の長さは前方部分より後方部分にかけて段階的に長くすることにより
振動体が閉じるときも開くときも時差が生じより本物のエビのように擬態することができる。
【００６３】  エギ本体に穴を開けずにオモリの交換だけで弾性体を装着および着脱することができる。
【００６４】  穴を開けることができない中空タイプのエギにも錘の交換だけで弾性体を装着することができる。
【００６５】  請求項１０、請求項１１、請求項１２にかかる発明における効果は次の通りである。
所定の角度で開いた状態で設けることによりすべての振動体が水を十分に捕らえることが可能であり弾性体の動き始めが早くなる。
【００６６】  弾性体は硬度と形状（太さ、長さなど）で固有振動数が異なるが
弾性体の長さを段階的に変化させることによりそのすべてか一部かが常に微振動して
より幅広い速度域において誘魚効果を得ることができる。
【００６７】  しゃくったときには瞬時に弾性体を閉じて本体に密着し、餌木本体が止まると同時に弾性回復力によって横方向に放射状に弾性体が広がりイカにアピールする。
【００６８】  海底でステイさせる場合もイカに見切られることなく誘魚効果を発揮し続けることができる。
【００６９】  夜間海底で潮流に揺られながら眠る魚を表現することができる。
【００７０】  また、潮流がない場所であっても風、波によってエギ本体が風見鶏のごとく海底でクルクル回るがその場合もより複雑でライブリーなアクションを演出できる
【００７１】  また沈降中には風や波でラインが引かれることによりエギ本体頭部が上下に揺らされるときにもその不自然な動きをおだやかに抑制してイカに見切られるのを防ぐとともにエギ本体から伝わった微妙な動きが弾性体につたわりこれもまたエビの脚のうごきのように見せる効果がある。
【００７２】  エビをふくむ多足類の多くは、胴をまっすぐのまま、脚を「縦に波打たせる」運動をする。後ろへ蹴っている脚と前へ出している脚が重なって、「脚密度」の高くなった部分と「脚密度」がまばらになった部分ができる。
本来等間隔である脚のなかに疎密波をつくって後ろへ送り、その反動として前進運動をする。このようなエビの脚の動きは単に弾性体を等間隔よび所定の間隔に各所に分散して配置しただけでは不可能であり。弾性体の長さを調整したとしても等間隔を保ったまま前後運動を繰り返すだけである。一点から放射状に装備した弾性体の場合はすべての弾性体の設置角度があらかじめすべて異なるため可能となる。
【００７３】  海中に生息するエビは外敵が近づくと
二度三度とジャンプを繰り返し、敵から逃れようとする。
このときエビは体側に脚を沿わせて閉じた状態で瞬時に尾部方向に移動し
浮遊状態で止まった瞬間に脚を両側に広げバランスをとろうとする。
このようなエビの動きを模倣することができる。
従来は脚や鰭の姿形を模倣するだけでこのような動きを表現できるものがなかった。
【００７４】  略扇形状および略三角形状および略Ｖ字形状に所定の角度で弾性体を設けることですべての弾性体が効果的に水を捉えて振動し、一本一本の弾性体がそれぞれ独立した脚のごとくきれいになびく。
【００７５】  脚一本一本の動きに時差を設けることにより多足類特有の脚の動きに極似させる事ができエギに生命感を与えることができる。
【００７６】  海底にエギをステイさせる場合も
波の影響で脚を自然に動かし続けることができるので
水流にもまれながら海底にしがみつくエビの姿態を表現できる。
【００７７】  所定の角度で開いた状態で設けることによりすべての振動体が水を十分に捕らえることが可能であり
弾性体の動き始めが早くなる。
【００７８】  脚部を頭部側を短く尾部側を順次長くなるよう設定した場合は
尾部側から順番に閉じ、頭部側から順番に開くようになる。
【００７９】  本体を動揺させることなく鰭や脚の動きだけでイカを誘うことができる。
【発明を実施するための最良の形態】
【００８０】  以下、本発明の実施の形態を図１〜図３９に基づいて説明する。
請求項１、請求項２、請求項３、請求項４に係る発明においては棒状体６の一方にフランジ部８設け、そのフランジ部８の棒状体６側の面に弾性体収納用の溝部９を棒状体の外周に沿うように形成する。【００８１】  ただし、フランジ部８の裏面に溝部９を設けるかわりにエギ本体側に溝部を設けてもよいがエギ本体に対する弾性体の取り付け角度が完全な平行にならないため空気抵抗は少し大きくなる。【００８２】  また、弾性体保持具の弾性体収納部とともに開口部を設けずエギ本体に弾性体引き出し用の開口部と弾性体収納部を設けても同様の効果が得られる。ただし、この場合も弾性体取り付け角度は制限される。【００８３】  フランジ部８の外周部に最低一箇所以上の弾性体を通すための開口部７を設ける。
棒状体６およびフランジ部８は適度な柔軟性をもつ素材が望ましい。
また、一体成形であってもよい。【００８４】  柔軟性があることによりエギ本体装着時にフランジ部８とエギ本体の間に隙間が無く密着していても、爪などでフランジ部８の一部を引っ掛けて持ち上げ、エギ本体とフランジ部にできた隙間から弾性体を挿入することができる。【００８５】  また、柔軟性の無い素材で保持具を形成した場合はエギ本体とフランジ部の間に隙間を設けるとよい。【００８６】  弾性体を薄く引き伸ばした状態ならば挿入できる最小限の隙間を設けその隙間にねじ込むようにして弾性体を装着する。隙間の間隔については弾性体が弾性回復力により元の状態に戻れば脱落することがないだけの隙間がよい。【００８７】  溝部９に挿入された弾性体は復元力によりもとの形状に戻ろうと膨らむため挿入時の隙間から使用中に弾性体が飛び出して脱落することがない。【００８８】  上記保持具に装着する弾性体の形状と装着方法については糸状の弾性体を一本または複数本を図５の様に一列に並べて棒状体６を軸に折り返して開口部から出して装着してもよいし、縦に並べて交互に開口部から出しても良い。その場合開口部は縦長に形成する。【００８９】  また、伸縮性のある弾性体リング５に糸状の弾性体を通して折り返し、弾性体リング５をフランジ部８にくぐらせて棒状体６が弾性体リング５を貫通するように取り付けても良い。【００９０】  棒状体６に弾性体を取り付けるものは弾性体リング５以外のものに置き換えることも可能であり必ずしも円形状である必要はなくそれ以外にＤ字形状リングなどでもよい。
この場合は保持具の棒状体の断面がＤ字形状であるとさらに保持しやすい。【００９１】  また、一本の弾性体の一端、または一端が複数に分割された弾性体の他端に貫通孔２８を設け貫通孔２８を広げてフランジ部８をくぐらせ棒状体６が貫通孔２８を貫通するように装着してもよい。【００９２】  弾性体保持具２はエギ本体２６の底面に設けてもよい。錘３の後方のエギ本体底面に設けることにより錘３を弾性体分離部として利用するとよい。【００９３】  請求項５および請求項８に係る発明においては
錘３に穴を設け軸体４を設ける。軸体４は回転自在に穴に挿入される。
エギ本体２６に錘３を装着すると軸体４は回転自在に固定され抜け落ちることはない。
軸体４に弾性体の束もしくは弾性体により形成された脚様体を取り付ける。
装着された弾性体は円板部１０と円形台部１２により押圧され弾性体が軸体４を中心に横方向にのびるように保持される。【００９４】  この間隔はあらかじめ設定することによって弾性体の広がり方を自由にコントロールすることができる。分離部１５によって弾性体は左右均等に分割される。【００９５】  エギ本体底面と略平行に弾性体が収納されるように収納面１４を設ける。
これによりキャスティング時の弾性体がその部分に収まり空気抵抗を低減し飛距離を伸ばすことが可能になる。【００９６】  請求項６および請求項８に係る発明においては
請求項５の軸部１１のかわりに弾性体保持具２を設ける。この場合は円形台部１２は不要であり後方部へのびる弾性体を省略し空気抵抗をより低減したい場合に最適である。【００９７】  請求項５の軸部１１および弾性体保持具２の取り付け位置は錘後方が理想的であるが前方部や中間位置であってもよい。【００９８】  請求項７および請求項８に係る発明においては
弾性体嵌め込み部１８の中心線上に弾性体押圧部１９を設けて上下に重ね合わせた平板状の弾性体を保持する。エギ本体２６と錘３に押圧された弾性体は固定され脱落することがない。【００９９】  エギ本体２６と錘３によって形成される弾性体嵌め込み部の形状を所定の幅に設定して弾性体を押圧する圧力を調整することにより弾性体の開き方を自由に設定することができる。【０１００】  弾性体の重ね合わせ方は上下以外に前後に並べてもよい。【０１０１】  また、布を貼っていないエギかエギ本体側の布を適切に処理できればエギ本体２６に弾性体嵌め込み部を設けてもよい。【０１０２】  図３７、図３８に示す実施例のように
弾性体折り返し部２０を中心に折り返して装着した弾性体を弾性体止め具２１をかしめることにより弾性体を保持する。【０１０３】  弾性体折り返し部２０は軸体４のかわりに錘と一体で成形されるものである。また、弾性体止め具２１も錘３と一体で成形してもよい。その場合錘３をエギ本体２６から取り外すことにより弾性体を交換することができる。【０１０４】  また、この発明において錘後方部だけでなく錘前方部および中間部に弾性体止め具２１および分離部を一体成形し両者の間に形成された溝部に弾性体をはめこみエギ本体に装着する方法をとってもよい。【０１０５】  弾性体止め具２１を一体成形する場合は錘前方部および中間部に弾性体を設けることも可能になる。【０１０６】  錘前方部に弾性体を設けた場合、弾性体は最も空気抵抗の少ない形態を実現することができる。【０１０７】  また、弾性体折り返し部２０は軸体４を設けて代用してもよい。【０１０８】  図３５、図３６に示す実施例のように
錘３に軸体を固定しフランジ部の下側に弾性体をもうけてもよい。一体成形でなく糸状の弾性体を束ねて取り付ける場合は弾性体の下側にストッパーを設け下から弾性体を押し上げて弾性体の開く角度や遊びを調整してもよい。【０１０９】  図３３，３４に示す実施例においては
錘３とエギ本体２６との接合面の錘３上部に弾性体１を保持するための弾性体嵌め込み部１８を設ける。弾性体嵌め込み部の形状は錘３の長手方向の中心線上の一部分で弾性体１を押圧できる形状に弾性体押圧部１９を設ける。【０１１０】  刃形状の先端部の線で弾性体１を保持することが弾性体１の微振動を得るのに最も適する。【０１１１】  中心線を押圧された弾性体１が略扇形状に広がるように保持するのがよい。【０１１２】  弾性体嵌め込み部１８に平板形状の弾性体１を重ね合わせてエギ本体とオモリの圧着力により保持される。【０１１３】  これは比較的高速で沈下するタイプのエギにおいて
弾性体１が流速に負けて折れ曲がることなく微振動することが可能になる。【０１１４】  これはボートや筏から水深の深いポイントで使用するためのエギとして最適である。【０１１５】  図３９に係る実施例のように錘３上部に錘保持棒２２を設けエギ本体２６に錘３を取り付ける場合は弾性体１を弾性体リング５で束ね、その中心に錘保持棒２２を貫通させてエギ本体２６に固定するとよい。【０１１６】  錘３とエギ本体２６の間隔を調整することにより弾性体１の広がり方をコントロールすることができる。【０１１７】  錘３とエギ本体２６の間隔を広くとる場合は弾性体リング５の下側または上下に弾性体リングを追加し下方もしくは上下方向から弾性体を押圧して弾性体１の開き方を調整するとよい。【０１１８】  以上のようにこれら弾性体の取り付け角度については２通りあり、それぞれの弾性体が閉じた状態に取り付ける方法とあらかじめ開いた状態に取り付ける方法である。
閉じた状態から開いた状態に変化するか
開いた状態から閉じた状態に変化するかの違いだけであって
同じような効果をあげることができる。
【図面の簡単な説明】
【０１１９】
【図１】本発明の一実施形態を示す側面図である。
【図２】本発明の弾性体保持具の一形態を示す正面図である。
【図３】図２に示す弾性体保持具の平面図である。
【図４】図２に示す弾性体保持具の側面図である。
【図５】図２に示す弾性体保持具に弾性体を取り付けた状態を説明するための平面図である。
【図６】図２に示す保持具に弾性体を装着した一例を説明するための断面図である。
【図７】弾性体の形状の一例を説明するための斜視図である。
【図８】本発明の実施形態を示す錘の側面図である。
【図９】図８に示す錘の平面図である。
【図１０】本発明の一実施形態を示す側面図である
【図１１】本発明の一実施形態を示す平面図である。
【図１２】本発明の一実施形態を説明するための断面図である。
【図１３】本発明の一実施形態を示す平面図である。
【図１４】本発明の一実施形態を示す側面図である。
【図１５】本発明の一実施形態を示す平面図である。
【図１６】本発明の一実施形態の錘の側面図である。
【図１７】図１６に示す錘の平面図である。
【図１８】本発明の一実施形態を示す側面図である。
【図１９】図１８に示す実施形態の正面図である
【図２０】本発明の一実施形態を示す側面図である。
【図２１】図２０に示す実施形態の弾性体が開いた状態を示す平面図である。
【図２２】本発明の一実施形態を示す側面図である。
【図２３】図２２に示す実施形態の弾性体が開いた状態を示す平面図である。
【図２４】本発明の一実施形態を示す側面図である。
【図２５】図２４に示す実施形態のエギの腹部を示す裏面図である。
【図２６】本発明の一実施形態を示す側面図である。
【図２７】図２６に示す実施形態のエギの腹部を示す裏面図である。
【図２８】本発明の一実施形態を示す側面図である。
【図２９】図２８に示す実施形態のエギの腹部を示す裏面図である。
【図３０】本発明の一実施形態を示す側面図である。
【図３１】図３０に示す実施形態のエギの腹部を示す裏面図である。
【図３２】本発明の一実施形態を示す側面図である。
【図３３】図３２に示す実施形態のエギの腹部を示す裏面図である。
【図３４】図３２に示す実施形態のエギの弾性体が開いた状態を示す正面図である。
【図３５】本発明の一実施形態を示す側面図である。
【図３６】本発明の一実施形態を示す側面図である。
【図３７】本発明の一実施形態を示す側面図である。
【図３８】図３７に示す実施形態の弾性体を開いた状態を示す平面図である。
【図３９】本発明の一実施形態を示す側面図である。
【符号の説明】
【０１２０】１弾性体
２弾性体保持具
３錘
４軸体
５弾性体リング
６棒状体
７開口部
８フランジ部
９溝部
１０円板部
１１軸部
１２円形台部
１３挿入部
１４収納面
１５分離部
１６弾性脚状体
１７取付孔
１８弾性体嵌め込み部
１９弾性体押圧部
２０弾性体折り返し部
２１弾性体止め具
２２錘保持棒
２３目玉
２４ラインアイ
２５傘針
２６エギ本体
２７エギ
２８貫通孔
【図１】
2010178725.tif 000003
【図２】
2010178725.tif 000004
【図３】
2010178725.tif 000005
【図４】
2010178725.tif 000006
【図５】
2010178725.tif 000007
【図６】
2010178725.tif 000008
【図７】
2010178725.tif 000009
【図８】
2010178725.tif 000010
【図９】
2010178725.tif 000011
【図１０】
2010178725.tif 000012
【図１１】
2010178725.tif 000013
【図１２】
2010178725.tif 000014
【図１３】
2010178725.tif 000015
【図１４】
2010178725.tif 000016
【図１５】
2010178725.tif 000017
【図１６】
2010178725.tif 000018
【図１７】
2010178725.tif 000019
【図１８】
2010178725.tif 000020
【図１９】
2010178725.tif 000021
【図２０】
2010178725.tif 000022
【図２１】
2010178725.tif 000023
【図２２】
2010178725.tif 000024
【図２３】
2010178725.tif 000025
【図２４】
2010178725.tif 000026
【図２５】
2010178725.tif 000027
【図２６】
2010178725.tif 000028
【図２７】
2010178725.tif 000029
【図２８】
2010178725.tif 000030
【図２９】
2010178725.tif 000031
【図３０】
2010178725.tif 000032
【図３１】
2010178725.tif 000033
【図３２】
2010178725.tif 000034
【図３３】
2010178725.tif 000035
【図３４】
2010178725.tif 000036
【図３５】
2010178725.tif 000037
【図３６】
2010178725.tif 000038
【図３７】
2010178725.tif 000039
【図３８】
2010178725.tif 000040
【図３９】
2010178725.tif 000041